(57)【要約】【課題】通しボルト及びナットの着脱を要せずに、容易にかつ少ないコストでサブウェートを追加できるエレベータのつり合いおもりの提供。【解決手段】サブウェート７に通しボルト３及びナット４を挿入可能な通し孔８を形成するとともに、一対の枠体１にレールクリップ１０にて固定され、サブウェート７を保持する押えブラケット９を設けた。これにより、主ウェート２を通しボルト３及びナット４で一体に固定した状態で、上部主ウェート２ａ上にサブウェート７を載置するとともに、サブウェート７の通し孔８に通しボルト３及びナット４を挿入した後、サブウェート７を押えブラケット９で保持する。【選択図】        図１
2004189366.tif 000002
【特許請求の範囲】
【請求項１】
昇降路内のガードレールに沿って昇降し、吊りロープを介して乗りかごと連結される一対の枠体と、これらの枠体に保持される複数の主ウェートと、これらの主ウェートを貫通する通しボルトと、この通しボルトの端部に螺合され、上記主ウェートを押えるナットとを備え、前記乗りかごの重量に相応する重量を有するとともに、上記乗りかごの重量の変化に伴って上記主ウェートの上部にサブウェートを装着可能なエレベータのつり合いおもりにおいて、
上記サブウェートに上記通しボルト及びナットを挿入可能な挿入孔を形成するとともに、上記一対の枠体にレールクリップにて固定され、上記サブウェートを保持する押えブラケットを設けたことを特徴とするエレベータのつり合いおもり。
【発明の詳細な説明】
【０００１】
【発明が属する技術分野】
本発明は、乗りかごの重量の変化に伴って主ウェート上にサブウェートを装着可能なエレベータのつり合いおもりに関する。
【０００２】
【従来の技術】
図５はこの種のエレベータのつり合いおもりの一例を示す正面図である。
【０００３】
図５に示すつり合いおもりは、図示しない昇降路内のガイドレールに沿って昇降する一対の枠体１と、積層された状態で両端のそれぞれが枠体１に保持される複数の主ウェート２と、これらの主ウェート２を貫通する２本の通しボルト３と、これらの通しボルト３の両端に螺合するナット４とを備えている。このつり合いおもりの枠体１は、吊りロープ５により吊上げられ、この吊りロープ５の他端は図示しない乗りかごに連結されている。また、枠体１の上下端には図示しないガイドレールに沿って案内するガイドシュー６が設けられている。
【０００４】
このようなつり合いおもりを備えたエレベータでは、つり合いおもりが乗りかごの重量に相応する重量を有することにより、つり合いおもりと乗りかごとがつり合いの取れた状態で乗りかごの運行を円滑に行なうようになっている。また、例えば乗りかごの改造などにより乗りかごの重量が増加した場合には、主ウェート２のうちの最上部に位置する上部主ウェート２ａの上部にこの主ウェート２と同形の図示しないサブウェートを取付けることがある。このようにサブウェートを装着した場合、通しボルト３の上端のナット４をそれぞれ外した後、上部主ウェート２ａの上部にサブウェートを載置させるとともに、このサブウェートの貫通孔に通しボルト３を挿入して上端を上部主ウェート２ａの上方へ突出され、次いで、この通しボルト３の上端にナット４を再び螺合するようになっている。しかしながら、このようなつり合いおもりにあっては、通しボルト３の長さが足りなくなった際に、より長い通しボルトを新たに作り直す必要があり、かなりの期間や費用を要するという問題がある。
【０００５】
そこで、このような従来の問題を解決する一手段として、複数の主ウェート２を連結する通しボルト３が挿通可能な第１の孔、およびこの第１の孔とは別に形成したボルト孔を有するベースウェートと、このベースウェート上に配置され、上記のボルト孔に対向する通し孔を有する補助ウェートとを含むとともに、この補助ウェートの通し孔に挿通され、上記のボルト孔に螺合する補助ボルトを備えたエレベータのつり合いおもりが提案されている（例えば、特許文献１参照。）。
【０００６】
【特許文献１】
特開２０００―３１３５７９号公報
（段落番号００１６〜００２０、図１）
【０００７】
【発明が解決しようとする課題】
ところで、上記した従来技術にあっては、複数の主ウェート２上にベースウェートを装着する際に複数の主ウェート２を貫通する通しボルト３及びナット４を一旦緩める必要があるが、エレベータ据付時から長年の期間を経た後に乗りかごの改造を行なうのが一般的であるので、通しボルト３とナット４との間で錆付いて抜けないという問題がある。また、通しボルト３が抜けないよう針金などを用いて抜止め防止策を講じるのに煩雑な手間を要するという問題もある。
【０００８】
本発明は、上記した従来技術における実状を鑑みてなされたもので、その目的は、複数の主ウェートを貫通する通しボルト及びナットの着脱を要せずに、容易にかつ少ないコストでサブウェートを追加することのできるエレベータのつり合いおもりを提供することにある。
【０００９】
【課題を解決するための手段】
上記目的を達成するために本発明は、昇降路内のガードレールに沿って昇降し、吊りロープを介して乗りかごと連結される一対の枠体と、これらの枠体に保持される複数の主ウェートと、これらの主ウェートを貫通する通しボルトと、この通しボルトの端部に螺合され、上記主ウェートを押えるナットとを備え、前記乗りかごの重量に相応する重量を有するとともに、上記乗りかごの重量の変化に伴って上記主ウェートの上部にサブウェートを装着可能なエレベータのつり合いおもりにおいて、上記サブウェートに上記通しボルト及びナットを挿入可能な挿入孔を形成するとともに、上記一対の枠体にレールクリップにて固定され、上記サブウェートを保持する押えブラケットを設けた構成にした。
【００１０】
このように構成した本発明によれば、複数の主ウェートを通しボルト及びナットにより一体に固定したままの状態で、複数の主ウェート上にサブウェートを載置した後、一対の枠体にレールクリップにて押えブラケットを固定し、この押えブラケットでサブウェートを保持する。これにより、従来のように複数の主ウェートを貫通する通しボルト及びナットを要せずに、容易にかつ少ないコストでサブウェートを追加することができる。
【００１１】
【発明の実施の形態】
以下、本発明のエレベータのつり合いおもりの実施の形態を図に基づいて説明する。
【００１２】
図１は本発明の一実施形態に係わるエレベータのつり合いおもりを示す正面図、図２は図１のつり合いおもりのＡ―Ａ線に沿う横断面図、図３は図１のつり合いおもりに設けられるサブウェートの平面図、図４は図１のつり合いおもりに設けられる押えブラケットの正面図である。なお、図１、図２において前述した図５に示すものと同等のものには同一符号を付してある。
【００１３】
図１に示す本実施形態のつり合いおもりでは、前述した図５に示すものと比べて、複数の主ウェート２のうちの上部主ウェート２ａ上に載置されるサブウェート７が、通しボルト３及びナット４を挿入可能な挿入孔、例えば通し孔８を有するとともに、一対の枠体１にレールクリップ１０にて両端が固定され、サブウェート７を保持する押えブラケット９を設けた点が異なっており、その他の構成は基本的に同様である。
【００１４】
レールクリップ１０は、図２に示すように、ボルト１０ａ、ワッシャ１０ｂ、スプリングワッシャ１０ｃ及びナット１０ｄから構成され、このナット１０ｄに適応する図示しないスパナなどの工具によりナット１０ｄを締付けることでレールクリップ１０を押圧する力を得るようになっている。
【００１５】
この実施形態にあっては、例えば図示しない乗りかごの改造工事に伴う部品の増加により乗りかごの重量が増加した場合、複数の主ウェート２を通しボルト３及びナット４で一体に固定した状態で、上部主ウェート２ａ上にサブウェート７を載置するとともに、このサブウェート７の通し孔８に通しボルト３及びナット４を挿入する。その後、サブウェート７の上方に押えブラケット９を配置して、この押えブラケット９の両端をレールクリップ１０を介して枠体１に固定することにより、サブウェート７を上方から保持する。
【００１６】
このように構成した本実施形態によれば、サブウェート７を追加するに際し、通しボルト３及びナット４の着脱作業が不要であるとともに、従来のように通しボルト３の落下防止策を講じる必要がないため、必要な重量のサブウェート７を容易に追加することができる。また、既設のサブウェート７を用いる場合には、この既設のサブウェート７に通しボルト３及びナット４を挿入可能な通し孔８を加工して、押えブラケット９を設けるだけでよく、新たに要する費用を抑えることができる。
【００１７】
なお、上記実施形態では、サブウェート７を主ウェート２と同形としたが、サブウェート７の両端が枠体１に保持される構造であるならば、サブウェートを主ウェート２と異形とすることもできる。
【００１８】
【発明の効果】
以上説明したように本発明によれば、複数の主ウェートを貫通する通しボルト及びナットの着脱を要せずに、容易にかつ少ないコストでサブウェートを追加できるエレベータのつり合いおもりを提供することができる。
【図面の簡単な説明】
【図１】本発明の一実施形態に係わるエレベータのつり合いおもりを示す正面図である。
【図２】図１のつり合いおもりのＡ―Ａ線に沿う横断面図である。
【図３】図１のつり合いおもりに設けられるサブウェートの平面図である。
【図４】図１のつり合いおもりに設けられる押えブラケットの正面図である。
【図５】エレベータのつり合いおもりの一例を示す正面図である。
【符号の説明】
１  枠体
２  主ウェート
２ａ  上部主ウェート
３  通しボルト
４  ナット
５  吊りロープ
７  サブウェート
８  通し孔（挿入孔）
９  押えブラケット
１０  レールクリップ
１０ａ  ボルト
１０ｂ  ワッシャ
１０ｃ  スプリングワッシャ
１０ｄ  ナット
【図１】
2004189366.tif 000003
【図２】
2004189366.tif 000004
【図３】
2004189366.tif 000005
【図４】
2004189366.tif 000006
【図５】
2004189366.tif 000007